(57)【特許請求の範囲】
【請求項１】
第一開口部を有する第一ハウジング、前記第一開口部に固定するように結合される第一フレーム、第二開口部を有する第二ハウジング、前記第二開口部に固定するように結合される第二フレーム、及び前記第一フレーム或いは前記第二フレームに設置されると共に前記第一フレームと前記第二フレームとを固定させるか固定を解除するためのロック部を備えるハードフレームタイプスーツケースであって、
前記第二開口部は前記第一ハウジングの前記第一開口部と対向し、且つ複数のピン継手構成により前記第一ハウジングに回転自由に結合され、各前記ピン継手構成を経由し前記第一ハウジングの第一開口部と前記第二ハウジングの第二開口部とが結合されるか分離され、
前記第一フレームには第一係止面を有する第一係止段が成形され、前記第一係止面は案内弧段、折隅部、及び延伸段からなり、前記折隅部は弧角になると共に一端が前記延伸段に連結され、前記折隅部の他端は前記案内弧段の一端に連結され、前記案内弧段の何れか１点の位置には接線を有し、前記延伸段は第二方向に沿って延伸され、前記第二方向に垂直になる方向は第一方向と定義され、且つ前記案内弧段の自由端から形成される接線の延伸と前記延伸段と交差する箇所に９３度〜１１５度の刃先角を有し、
前記第二フレームには第二係止段が成形され、前記第二係止段は前記第一方向及び前記第二方向に沿って延伸されてブロック体となり、
また、前記第二係止段は第二係止面を有し、前記第二係止面の形状は前記第一係止面の形状に対応するように成形され、前記第一ハウジングが前記第二ハウジングに対合すると、前記第一フレームの第一係止段は前記第一係止面が前記第二フレームの前記第二係止段の第二係止面に係止されることを特徴とする、
ハードフレームタイプスーツケース。
【請求項２】
前記第一フレームは凹型溝構造によりハンドル或いはロック部を装設させる付属品溝部を更に備え、第一係止段は前記付属品溝部から第一方向に沿って延伸され、且つ前記第一係止段と前記付属品溝部との間には第一係止面が構成され、前記延伸段は前記付属品溝部の外表面に従って第二方向に沿って延伸され、前記案内弧段の何れか１点の接線と前記第一方向とは接線角を有し、前記案内弧段の何れか１点の接線角は９３度〜１１５度の区間の範囲内に位置されることを特徴とする、請求項１記載のハードフレームタイプスーツケース。
【請求項３】
前記案内弧段の何れか１点の接線角の範囲は１００〜１１０度であることを特徴とする、請求項２記載のハードフレームタイプスーツケース。
【請求項４】
前記第一フレームは、順に成形される第一溝部、中位段、前記付属品溝部、及び前記第一係止段を備え、前記第一溝部から前記第一係止段にかけての方向は前記第一方向と定義され、前記第一溝部は凹型溝構造により装飾フレームを装設させ、前記第二フレームは順に成形される第二溝部及び前記第二係止段を備え、前記第二溝部は凹型溝構造により装飾フレームを装設させることを特徴とする、請求項２記載のハードフレームタイプスーツケース。
【請求項５】
前記第一溝部は第一方向に沿って延伸される第一溝部底面を有し、前記第一溝部底面の第二方向上の最大の厚さは第一溝部厚さであり、且つ前記付属品溝部は第一方向に沿って延伸される付属品溝部底面を有し、前記付属品溝部底面の第二方向上の最大の厚さは付属品溝部厚さであり、なお、前記案内弧段の他端は導入端であり、前記第一係止段の導入端の第二方向上の厚さは第一係止段厚さであり、さらに、前記第一係止段厚さは前記第一溝部厚さ及び前記付属品溝部厚さより厚く、前記第二溝部は第一方向に沿って延伸される第二溝部底面を有し、前記第二溝部底面の第二方向上の最大の厚さは第二溝部厚さであり、前記第二係止段は第二溝部から第一方向及び前記第二方向に沿って延伸されてブロック体となり、前記第二係止段は第二方向に第二係止段厚さを有し、前記第二係止段厚さは前記第二溝部厚さより厚いことを特徴とする、請求項４記載のハードフレームタイプスーツケース。
【請求項６】
前記第一フレームは前記第一溝部底面により前記第一ハウジングに結合されるように貼着され、前記第二フレームは前記第二溝部底面により前記第二ハウジングに結合されるように貼着されることを特徴とする、請求項５記載のハードフレームタイプスーツケース。
【請求項７】
前記刃先角は１００度〜１１０度の間であることを特徴とする、請求項１記載のハードフレームタイプスーツケース。
【請求項８】
前記刃先角は９３度であることを特徴とする、請求項１記載のハードフレームタイプスーツケース。
【発明の詳細な説明】
【技術分野】
【０００１】
本発明は、ハードフレームタイプスーツケースに関し、より詳しくは、スーツケースに関する。
【背景技術】
【０００２】
現在市場に出回るスーツケースの種類は豊富であり、スーツケースのハウジングはハードケース及びソフトケースの区別以外、スーツケースの一対のケースの接合方式もファスナーによる接合方式やハードフレームによる接合方式等の種類がある。
ファスナーによる接合方式によるスーツケースの一対のケースの構造は低コストであるため、スーツケース全体のコストを抑制するが、ファスナーにより一対のケースを接合して閉めるのでは安全性に問題があり、ファスナーの接合部分の縫い目に鋭利な物体が挿入されるだけでファスナーが分離する可能性があり、一対のケースが突然開いてしまう状況が発生した。
【０００３】
また、一対のケースの間がハードフレームにより接合される方式は製造コストは高いが、一対のケースの間はハードフレームにロックが組み合わされて接合される方式であるため、一対のケースの間の密閉性及び安全性が大幅に高まる。
図１及び図２に示すハードフレームは一対のケースが接合されるスーツケース１０の構造形態であり、スーツケース１０は第一ケース１１、第一フレーム１２、第二ケース１３、第二フレーム１４で主に構成される。第一ケース１１には第一フレーム１２が固定するように結合され、第二ケース１３には第二フレーム１４が固定するように結合され、第一ケース１１と第二ケース１３との間は複数のピン継手構造１５により回転自由に結合され、第一ケース１１及び第二ケース１３は回転自由に対合或いは分離される。
【０００４】
さらに、第一ケース１１と第二ケース１３とが対合する場合は図２に図示するように、第一フレーム１２は順に連結される第一溝部１２１、付属品溝部１２２、及び止め段１２３を備える。第一溝部１２１は凹型溝構造になり装飾フレームが配置され、付属品溝部１２２は凹型溝構造によりハンドル或いはロック部が結合するように設置され、止め段１２３は円弧状凹部１２４を有し、円弧状凹部１２４内には防水接着テープ１２５が設けられる。
【０００５】
なお、第二フレーム１４は順に連結される第二溝部１４１及び第二当接段１４２を備える。第二溝部１４１は凹型溝構造により装飾フレームが配置され、第二当接段１４２は先端部１４３を有する。第一ケース１１と第二ケース１３とが対合すると、第二フレーム１４の先端部１４３は第一フレーム１２の防水接着テープ１２５に圧着され、先端部１４３と防水接着テープ１２５とが緊密に接着することで対合を達成させる。
【発明の概要】
【発明が解決しようとする課題】
【０００６】
しかしながら、前述した従来のスーツケースの第一フレーム１２と第二フレーム１４とが対合すると、もたれかかる先端部１４３と防水接着テープ１２５のみが緊密に接着されて対合を達成させる。緊密な対合効果を達成させるには、防水接着テープ１２５を僅かに弾性変形する材質で製造し、第一フレーム１２と第二フレームとを対合する際に緊密に当接させ、先端部１４３を防水接着テープ１２５に当接させ、先端部１４３を防水接着テープ１２５に陥入させ、防水接着テープ１２５に先端部１４３を被覆させることで対合を完成させる。
然しながら、スーツケース１０が一定時間使用されると、防水接着テープ１２５は時間の経過に伴い徐々に劣化し硬化するため、防水接着テープ１２５が劣化し硬化した後では先端部１４３と組み合わせての緊密な対合効果が得られなくなり、スーツケース１０の使用期限が制限された。
【０００７】
また、一旦防水接着テープ１２５が劣化し硬化すると、一般的な使用者は必ずしも防水接着テープを交換可能な者を知っているわけではなく、且つ一般業者でも必ずしも防水接着テープの交換サービスを提供するわけではないため、使用者は往々にしてスーツケース全てを交換することになり、資源の浪費に繋がり、使用者にとっての費用の負担が大きかった。
【０００８】
そこで、本発明者は上記の欠点が改善可能と考え、鋭意検討を重ねた結果、合理的設計で上記の課題を効果的に改善する本発明の提案に到った。
【０００９】
本発明は、上述のような従来の問題を解決するためになされたもので、上記課題解決のため、本発明は、ハードフレームタイプスーツケースを提供することを主目的とする。
【課題を解決するための手段】
【００１０】
上記目的を達成するための本発明は、本発明に係るハードフレームタイプスーツケースは、第一開口部を有する第一ハウジング、前記第一開口部に固定するように結合される第一フレーム、第二開口部を有する第二ハウジング、前記第二開口部に固定するように結合される第二フレーム、及び前記第一フレーム或いは前記第二フレームに設置されると共に前記第一フレームと前記第二フレームとを固定させるか固定を緩めるためのロック部を備えるハードフレームタイプスーツケースであって、前記第二開口部は前記第一ハウジングの前記第一開口部とは対向し、且つ複数のピン継手構成により前記第一ハウジングに回転自由に結合され、各前記ピン継手構成を経由し前記第一ハウジングの第一開口部と前記第二ハウジングの第二開口部とが結合されるか分離され、ここでは、前記第一フレームには第一係止面を有する第一係止段が成形され、前記第一係止面は案内弧段、折隅部、及び延伸段からなり、前記折隅部は弧角になると共に一端が前記延伸段に連結され、前記折隅部の他端は前記案内弧段の一端に連結され、前記案内弧段の何れか１点の位置には接線を有し、前記延伸段は第二方向に沿って延伸され、前記第二方向に垂直になる方向は第一方向と定義され、且つ前記案内弧段の自由端から形成される接線の延伸と前記延伸段と交差する箇所に９３度〜１１５度の刃先角を有し、前記第二フレームには第二係止段が成形され、前記第二係止段は前記第一方向及び前記第二方向に沿って延伸されてブロック体となり、また、前記第二係止段は第二係止面を有し、前記第二係止面の形状は前記第一係止面の形状に対応するように成形され、前記第一ハウジングが前記第二ハウジングに対合すると、前記第一フレームの第一係止段は前記第一係止面が前記第二フレームの前記第二係止段の第二係止面に係止されることを特徴とする。
【発明の効果】
【００１１】
本発明によれば、一般的なスーツケースでは使用期限が制限される問題の改善が得られる。
【図面の簡単な説明】
【００１２】
【図１】従来のスーツケースの一部構成を示す断面図である。
【図２】図１に示す一部の拡大図である。
【図３】本発明の一実施形態に係るハードフレームタイプスーツケースを示す展開図である。
【図４】本発明の一実施形態に係るハードフレームタイプスーツケースを示す外観斜視図である。
【図５】本発明の一部構成を示す断面図である。
【図６】図５に示す一部を示す拡大図である。
【発明を実施するための形態】
【００１３】
以下に図面を参照して、本発明を実施するための形態について、詳細に説明する。なお、本発明は、以下に説明する実施形態に限定されるものではない。
【００１４】
（第１実施形態）
以下、本発明の具体的な実施形態について図３乃至図６に基づき説明する。本発明に係るハードフレームタイプスーツケースは、第一開口部２１を有する第一ハウジング２０、及び第一ハウジング２０の第一開口部２１に固定するように結合される第一フレーム３０を備え、第一フレーム３０は、順に成形される第一溝部３１、中位段３２、付属品溝部３３、及び第一係止段３４を含む。
第一溝部３１から第一係止段３４にかけての方向は第一方向Ｄ１と定義され、第一方向Ｄ１に垂直になる方向は第二方向Ｄ２と定義される。第一溝部３１は凹型溝構造により装飾フレームを装設させ、且つ第一溝部３１は第一方向Ｄ１に沿って延伸される第一溝部底面３１１を有し、第一溝部底面３１１の第二方向Ｄ２上の最大の厚さは第一溝部厚さＴ１である。付属品溝部３３は凹型溝構造によりハンドルＡ及びロック部Ｂのスーツケースの付属品を装設させる。付属品溝部３３は第一方向Ｄ１に沿って延伸される付属品溝部底面３３１を有し、付属品溝部底面３３１の第二方向Ｄ２上の最大の厚さは付属品溝部厚さＴ２であり、中位段３２は第一溝部３１及び付属品溝部３３に連結される。また、第一係止段３４は付属品溝部３３から第一方向Ｄ１に沿って延伸される。
第一係止段３４と付属品溝部３３との間には第一係止面３４１が構成され、第一係止面３４１は案内弧段３４２、折隅部３４３、及び延伸段３４４を具備する。延伸段３４４は付属品溝部３３の外表面に従って第二方向Ｄ２に沿って延伸され、折隅部３４３は弧角になると共に一端により延伸段３４４に連結され、折隅部３４３の他端は案内弧段３４２の一端に連結され、案内弧段３４２の他端は導入端３４５であり、案内弧段３４２の何れか１点の位置には接線Ｎを有し、案内弧段３４２の何れか１点の接線Ｎと第二方向Ｄ２とは接線角αを有する。
案内弧段３４２の何れか１点の接線角αは９３度より大きい９３〜１１５度の区間の範囲内にあり、本実施形態による案内弧段３４２の何れか１点の接線角αの範囲は１００〜１１０度であり、且つ案内弧段３４２の自由端に形成される接線Ｎと延伸段３４４とが交差する箇所には刃先角βを有し、刃先角βは９３度〜１１５度の間である。なお、本実施形態の刃先角βは９３度であり、９３度より大きい１００度〜１１０度の間の大きな刃先角βは後続の組み合わせての対合により適する。
このほか、第一係止段３４から第一係止面３４１の第二方向Ｄ２上の最小の厚さは第一係止段厚さＴ３であり、第一係止段厚さＴ３は第一溝部厚さＴ１及び付属品溝部厚さＴ２より厚く、且つ第一フレーム３０は第一溝部底面３１１により第一ハウジング２０に結合されるように貼着される。
【００１５】
続いて、第二ハウジング４０は第二開口部４１を有し、第二ハウジング４０は第二開口部４１が第一ハウジング２０の第一開口部２１に対向すると共に複数のピン継手構造５０により第一ハウジング２０に回転自由に結合され、各ピン継手構造５０により第一ハウジング２０の第一開口部２１と第二ハウジング４０の第二開口部４１とが連結されるか分離される。
【００１６】
第二フレーム６０は第二ハウジング４０の第二開口部４１に固定するように結合され、第二フレーム６０は順に成形される第二溝部６１及び第二係止段６２を備え、第二溝部６１は凹型溝構造により装飾フレームを装設させる。第二溝部６１は第一方向Ｄ１に沿って延伸される第二溝部底面６１１を有し、第二溝部底面６１１の第二方向Ｄ２上の最大の厚さは第二溝部厚さＴ４である。
第二係止段６２は第二溝部６１から第一方向Ｄ１及び第二方向Ｄ２に沿って延伸されるブロック体であり、且つ第二係止段６２は第二係止面６２１を有し、第二係止面６２１の形状は第一係止面３４１の形状に対応するように成形される。また、第二係止段６２は第二方向Ｄ２上に第二係止段厚さＴ５を有し、第二係止段厚さＴ５は第二溝部厚さＴ４より厚い。第二フレーム６０は第二溝部底面６１１により第二ハウジング４０に結合されるように貼着される。
【００１７】
第一ハウジング２０と第二ハウジング４０とが対合されると、第一フレーム３０の第一係止段３４は第一係止面３４１により第二フレーム６０の第二係止段６２の第二係止面６２１に係止される。
【００１８】
以上が本発明に係るハードフレームタイプスーツケースの構造形態及び特徴である。本発明による第一ハウジング２０及び第二ハウジング４０は各ピン継手構造５０により回転自由に対合されるか分離される。
第一ハウジング２０及び第二ハウジング４０が回転して対合されると、第一フレーム３０及び第二フレーム６０は第一ハウジング２０及び第二ハウジング４０に従って接近し、且つ第一ハウジング２０の第一開口部２１及び第二ハウジング４０の第二開口部４１が連結されると、第二開口部４１に設置される第二フレーム６０は第二係止段６２により第一フレーム３０の第一係止段３４に接近し、且つ第一フレーム３０が第二フレーム６０に持続的に接近する状況において、第二係止段６２の第二係止面６２１は第一係止段３４の導入端３４５により案内弧段３４２に沿って第一係止面３４１に当接される。
【００１９】
第一係止面３４１及び第二係止面６２１の形状が対応するため、第一係止面３４１の案内弧段３４２は案内第二係止段６２に沿って第一係止面３４１の範囲内に納入され、操作をよりスムーズにさせる。同様に、案内弧段３４２は案内作用を有するため、第一フレーム３０及び第二フレーム６０が精確な位置に移動していなければ、案内弧段３４２の案内により第一フレーム３０と第二フレーム６０とを対応し合う位置に導き、且つ位置に僅かな誤差がある状況でも前記第一フレーム３０と前記第二フレーム６０とを所定の位置で対合させ、操作の利便性を向上させる。
【００２０】
同時に、第一係止面３４１と第二係止面６２１とが配置されて対応すると、第一係止面３４１及び第二係止面６２は折隅部３４３を有する構造形態となる。折隅部３４３を有する構造形態とは、第一係止面３４１及び前記第二係止面６２が２つの異なる方向を少なくとも有する構造形態であり、第一係止面３４１及び第二係止面６２１が互いに係止されることで接触する相互の接触抵抗が高まり、結合後の構造強度が強化される。
【００２１】
本発明による第一係止段３４の第一係止段厚さＴ３は第一溝部厚さＴ１及び付属品溝部厚さＴ２より厚く、第一係止段３４は第一フレーム３０上で構造強度の最も強い部位となる。第二係止段６２の第二係止段厚さＴ５は第二溝部厚さＴ４より厚く、第二係止段６２は第二フレーム６０上の構造強度が最も強い部位となる。
一旦第一フレーム３０と第二フレーム６０の第一係止段３４とが第二係止段６２に係止されると、第一係止段３４が第二係止段６２に係止される結合箇所では極めて高い構造強度を有する。これにより、外からの衝撃に対する抵抗力が強化され、且つ第一フレーム３０と第二フレーム６０との対合箇所に衝撃による隙間が出来るのを完全に防止し、構造全体の強度を高める以外に、構造全体の収納された物品に対する安全性も高まる。
【００２２】
また、本発明では第一フレーム３０及び第二フレーム６０自体の構造の配置により緊密な対合の目的を達成させるため、防水接着テープが不要になり、防水接着テープの材料コストが削減される。さらには、本発明では防水接着テープを使用せずに緊密な対合の目的を達成させるため、部材が劣化して対合しなくなるため使用期限が制限される問題が発生せず、当然付属品の交換も全く不要であり、メンテナンス費用も掛からないため、製品の付加価値も高まる。
【００２３】
ちなみに、本実施形態に係る第一フレーム３０及び第二フレーム６０には第一溝部３１及び第二溝部６１がそれぞれ設置されて装飾フレームを装設させる。装飾フレームは装飾に用いられるのみであり、当然ながら第一溝部３１及び第二溝部６１を設置しない構造形態でもコストを追及する主要な目的及び機能を達成可能である。また、本実施形態では、第一フレーム３０に付属品溝部３３が更に設置されてハンドルＡ及びロック部Ｂを装設させ、主に付属品溝部３３の凹型溝構造によりハンドルＡ及び前記ロック部Ｂは付属品溝部３３内に納置されて第一フレーム３０から突出しない。当然ながら、第一フレーム３０に付属品溝部３３を設置させずに、ハンドルＡ及びロック部Ｂを平面式の第一フレーム３０に設置させるのみでもよく、本案の主要な目的及び効果の達成に影響しない。
【００２４】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２５】
１０    スーツケース
１１    第一ケース
１２    第一フレーム
１２１  第一溝部
１２２  付属品溝部
１２３  止め段
１２４  円弧状凹部
１２５  防水接着テープ
１３    第二ケース
１４    第二フレーム
１４１  第二溝部
１４２  第二当接段
１５    ピン継手構成
１４３  先端部
２０    第一ハウジング
２１    第一開口部
３０    第一フレーム
３１    第一溝部
３１１  第一溝部底面
３２    中位段
３３    付属品溝部
３３１  付属品溝部底面
３４    第一係止段
３４１  第一係止面
３４２  案内弧段
３４３  折隅部
３４４  延伸段
３４５  導入端
４０    第二ハウジング
４１    第二開口部
５０    ピン継手構造
６０    第二フレーム
６１    第二溝部
６１１  第二溝部底面
６２    第二係止段
６２１  第二係止面
Ａ      ハンドル
Ｂ      ロック部
Ｄ１    第一方向
Ｄ２    第二方向
Ｔ１    第一溝部厚さ
Ｔ２    付属品溝部厚さ
Ｔ３    第一係止段厚さ
Ｔ４    第二溝部厚さ
Ｔ５    第二係止段厚さ
【図１】
0006034357.tif 000002
【図２】
0006034357.tif 000003
【図３】
0006034357.tif 000004
【図４】
0006034357.tif 000005
【図５】
0006034357.tif 000006
【図６】
0006034357.tif 000007